(57)【特許請求の範囲】
【請求項１】
屋外フードと、前記屋外フードを取り付けるパネルと、前記パネルに取り付けられ、両側にフランジ部を有した換気扇取付枠と、前記換気扇取付枠に取り付ける換気扇であって、室内側から、前記換気扇取付枠のパネル側フランジ部に有した穴および、パネルに有した穴とを貫通させるように、締結用軸状部材を挿入し、その締結用軸状部材を仮固定した後、室外側からは、パネルから突出した前記締結用軸状部材に、前記屋外フードの取付穴を通すように位置固定され、締結用軸状部材に締結固定具を挿入し前記締結用軸状部材と、締結固定具とを固定することで、前記パネルと前記屋外フードと前記換気扇取付枠とが固定され、室内側から前記換気扇取付枠の換気扇側フランジ部に前記換気扇を固定することを特徴とする換気扇取付枠。
【請求項２】
換気扇取付枠のパネル側フランジ部のパネル面側に両面テープを有したことを特徴とする請求項１記載の換気扇取付枠。
【請求項３】
締結用軸状部材が回らないように、換気扇取付枠のパネル側フランジ部に有した穴の周囲に回り止め部を設けたことを特徴とする請求項１または２記載の換気扇取付枠。
【請求項４】
換気扇取付枠と締結用軸状部材とが溶接されていることを特徴とする請求項１または２のいずれかに記載の換気扇取付枠。
【発明の詳細な説明】
【技術分野】
【０００１】
本発明は、壁に換気扇取付け用の換気孔がない部屋でも、窓を利用して換気扇および屋外フードを作業者１人で取付けられる換気扇取付枠に関するものである。
【背景技術】
【０００２】
従来の換気扇の取付構造は、室内側からガラス窓に換気取付枠を取り付ける方法が知られている（例えば、特許文献１参照）。
【０００３】
以下、この取り付け方法について図１１参照を参照しながら説明する。
【０００４】
図に示すように、窓枠１０１に取り付けられていた窓ガラスを外し、角穴１０２の穴あけ加工をしたアルミ製などの強度のあるパネル１０３を窓枠１０１に差し込み、パッキン１０４で隙間を埋め、防水のために室内１０５、および室外１０６からコーキング材１０７を施す。そして、室外１０６側から１人の作業者が屋外フード１０８を角穴１０２に合わせ、パネル１０３に押し付けた状態のまま、室内１０５側からもう１人の作業者が換気扇１０９を角穴１０２に差し込み、室内１０５側からドリルねじ１１０などで、換気扇１０９、パネル１０３、屋外フード１０８を共締めして固定していた。そして、屋外フード１０８の外周をコーキング材１０７を施すことで、屋外フード１０８とパネル１０３との隙間から室内１０５に水が侵入するのを防止していた。しかし、この取り付け方法では換気扇１０９および、屋外フード１０８を堅固に取り付けることができるが、屋外フード１０８および、換気扇１０９を設置する際には、室内１０５、室外１０６からそれぞれ換気扇１０９、屋外フード１０８を手で押さえてねじ止め作業する理由から、室内１０５側に１人、室外１０６側に１人の作業者が必要であり、施工に２人工を必要とし、学校など、教室（部屋の）の多い施設では、一度に多くの換気扇１０９や屋外フード１０８を設置する必要があるため、作業者１人で出来る施工が望まれていた。さらに、上記の方法の場合、換気扇１０９を設置した後、メンテナンスの際で、換気扇１０９を着脱する場合、やはり、室内１０５、室外１０６側にそれぞれ１人づついなければ換気扇１０９の取り外しができないばかりか、屋外フード１０８の外周のコーキング材１０７を一旦外さなければならず、換気扇１０９の着脱のために、屋外フード１０８の設置、コーキング材１０７でコーキングまで再度しなければならないといった手間がかかるため、換気扇１０９だけの着脱が室内１０５側から簡単にできるような換気扇１０９の取り付け方法が要望されていた。
【先行技術文献】
【特許文献】
【０００５】
【特許文献１】特開平９−２１５４９号公報
【発明の概要】
【発明が解決しようとする課題】
【０００６】
このような従来の換気扇の設置方法では、室内で１人が換気扇を持ち、また、１人が室外側で屋外フード持ちながら、ねじで取り付けていたので、取り付けに２人の作業者を要し作業性が悪いという課題があった。
【０００７】
本発明は、このような従来の課題を解決するものであり、１人で換気扇と屋外フードを取り付けることで作業性の向上を図り、また、メンテナンスの際に室内側から容易に１人で換気扇のみの着脱ができることを目的とする。
【課題を解決するための手段】
【０００８】
本発明の換気扇取付枠は、上記目的を達成するために、屋外フードと、前記屋外フードを取り付けるパネルと、前記パネルに取り付けられ、両側にフランジ部を有した換気扇取付枠と、前記換気扇取付枠に取り付ける換気扇であって、室内側から、前記換気扇取付枠のパネル側フランジ部に有した穴および、パネルに有した穴とを貫通させるように、締結用軸状部材を挿入し、その締結用軸状部材を仮固定した後、室外側からは、パネルから突出した前記締結用軸状部材に、前記屋外フードの取付穴を通すように位置固定され、締結用軸状部材に締結固定具を挿入し前記締結用軸状部材と、締結固定具とを固定することで、前記パネルと前記屋外フードと前記換気扇取付枠とが固定され、室内側から前記換気扇取付枠の換気扇側フランジに前記換気扇を固定することを特徴とする換気扇取付枠である。
【０００９】
また、他の手段は、換気扇取付枠のパネル側フランジ部のパネル面側に両面テープを有したものである。
【００１０】
また、他の手段は、締結用軸状部材が回らないように、換気扇取付枠のパネル側フランジ部に有した穴の周囲に回り止め部を設けたものである。
【００１１】
また、他の手段は、回り止め部を、締結用軸状部材の周囲に少なくとも１つ以上の面を有したストッパー面としたものである。
【００１２】
また、他の手段は、２面を有した並行するストッパー面の内側に前記締結用軸状部材が動かないように突部を設けたものである。
【００１３】
また、他の手段は、換気扇取付枠と締結用軸状部材とが溶接されているものである。
【００１４】
また、他の手段は、換気扇取付枠を、換気扇側に長さ調整できるスライド機構を設けたものである。
【発明の効果】
【００１５】
本発明によれば、屋外フードと、前記屋外フードを取り付けるパネルと、前記パネルに取り付けられ、両側にフランジ部を有した換気扇取付枠と、前記換気扇取付枠に取り付ける換気扇であって、室内側から、前記換気扇取付枠のパネル側フランジ部に有した穴および、パネルに有した穴とを貫通させるように、締結用軸状部材を挿入し、その締結用軸状部材を仮固定した後、室外側からは、パネルから突出した前記締結用軸状部材に、前記屋外フードの取付穴を通すように位置固定され、締結用軸状部材に締結固定具を挿入し前記締結用軸状部材と、締結固定具とを固定することで、前記パネルと前記屋外フードと前記換気扇取付枠とが固定され、室内側から前記換気扇取付枠の換気扇側フランジ部に前記換気扇を固定することにより、従来のように、室外側から１人の作業者が屋外フードをパネルに押し付けた状態のまま、室内側からもう１人の作業者がねじで、重量のある換気扇と、パネルと、屋外フードとを共締めするというような２人での設置作業をすることがなく、作業者１人で、屋外フード、換気扇を取り付け出来るので、作業者１人で容易に設置作業ができるため、作業性の向上が図れる。さらにメンテナンスの際には、作業者１人で、室内側から換気扇のみを着脱できるため、メンテナンス時の換気扇着脱の作業性の向上も図ることができるという効果のある換気扇取付枠を提供することができる。
【００１６】
また、換気扇取付枠のパネル側フランジ部のパネル面側に両面テープを有したことにより、市販性のある材料で換気扇取付枠とパネルとを仮固定できるので、安価なコストで換気扇取付枠とパネルとを仮固定することができるという効果のある換気扇取付枠を提供することができる。
【００１７】
また、締結用軸状部材が回らないように、換気扇取付枠のパネル側フランジ部に有した穴の周囲に回り止め部を設けたことにより、屋外フードを取り付ける際、締結固定具を螺合させるときに、締結用軸状部材が、締結固定具と同時に回転方向に回るのを防止できるので、室外側から作業者１人で屋外フードとパネルと換気扇取付枠とを固定することができ、作業性を向上するという効果のある換気扇取付枠を提供することができる。
【００１８】
また、回り止め部を、締結用軸状部材の周囲に少なくとも１つ以上の面を有したストッパー面としたことにより、簡単な構成で、締結用軸状部材の周り止めができ、屋外フードを取り付ける際、締結固定具を螺合させるときに、締結用軸状部材が締結固定具と同時に回転方向に回るのを防止できるので、室外側から作業者１人で屋外フードとパネルと換気扇取付枠とを固定することができ、作業性を向上するという効果のある換気扇取付枠を提供することができる。
【００１９】
また、２面を有した並行するストッパー面の内側に締結用軸状部材が動かないように突部を設けたので、突起によって締結用軸状部材が軸方向に動かないように固定できるので、屋外フードの穴を締結用軸状部材に入れる際、入りやすくなり、作業性を向上するという効果のある換気扇取付枠を提供することができる。
【００２０】
また、換気扇取付枠と締結用軸状部材とが溶接されているので、締結用軸状部材が換気扇取付枠と一体となっているため、パネルに換気扇取付枠を位置固定するのが容易にできるという効果のある換気扇取付枠を提供することができる。
【００２１】
また、換気扇取付枠を、換気扇側に長さ調整できるスライド機構を設けたことにより、枠の長さを長くすることができるため、窓の下に桟などの障害物があった場合でも、換気扇の設置位置がパネルから室内側へ飛び出させることができるため、桟に邪魔にならずに、換気扇の引き紐スイッチでの操作を容易にすることができるという効果のある換気扇取付枠を提供することができる。
【図面の簡単な説明】
【００２２】
【図１】本発明の実施の形態１の換気扇取付枠の設置状態を示す断面図
【図２】同換気扇取付枠の施工構成を示す斜視図
【図３】同換気扇取付枠の設置状況を示す正面図
【図４】本発明の実施の形態２の換気扇取付枠の設置状態を示す断面図
【図５】本発明の実施の形態３の換気扇取付枠の設置状況を示す正面図
【図６】本発明の実施の形態４の換気扇取付枠の設置要領を示す斜視図
【図７】本発明の実施の形態５の換気扇取付枠の設置要領を示す斜視図
【図８】本発明の実施の形態６の換気扇取付枠を示す斜視図
【図９】本発明の実施の形態７の換気扇取付枠の設置状態を示す断面図
【図１０】従来の換気扇を窓に設置する方法を示す断面図
【図１１】従来の換気扇を窓に設置する別の方法を示す断面図
【発明を実施するための形態】
【００２３】
本発明の換気扇取付枠は、屋外フードと、前記屋外フードを取り付けるパネルと、前記パネルに取り付けられ、両側にフランジ部を有した換気扇取付枠と、前記換気扇取付枠に取り付ける換気扇であって、室内側から、前記換気扇取付枠のパネル側フランジ部に有した穴および、パネルに有した穴とを貫通させるように、締結用軸状部材を挿入し、その締結用軸状部材を仮固定した後、室外側からは、パネルから突出した前記締結用軸状部材に、前記屋外フードの取付穴を通すように位置固定され、締結用軸状部材に締結固定具を挿入し前記締結用軸状部材と、締結固定具とを固定することで、前記パネルと前記屋外フードと前記換気扇取付枠とが固定され、室内側から前記換気扇取付枠の換気扇側フランジ部に前記換気扇を固定することとしたものであり、既設の窓ガラスを窓枠から外し、角穴および、屋外フード固定用の穴を設けたパネルを窓枠に固定したあと、室内側から、換気扇取付枠および、締結用軸状部材（例えばボルトなど）にテープを上から貼ることにより、換気扇取付枠をパネルに仮固定した後、室外側から、屋外フードを締結用軸状部材に挿入し、前記締結用軸状部材の締結固定具（例えばナットなど）で固定することで、屋外フードを作業者１人で固定できる。また、その後、室内側で、作業者１人で、換気扇取付枠の換気扇側フランジ部に換気扇をねじなどで固定できる。また、メンテナンス時には、換気扇を室内側から作業者１人で容易に換気扇のみを着脱するという作用を有する。
【００２４】
また、換気扇取付枠のパネル側フランジ部のパネル面側に両面テープを有したこととしたものであり、パネルに換気扇取付枠を仮固定する際、換気扇取付枠のパネル側フランジ部のパネル面側に両面テープで、パネルと換気扇取付枠を仮固定できるという作用を有する。
【００２５】
また、締結用軸状部材が回らないように、換気扇取付枠のパネル側フランジ部に有した穴の周囲に回り止め部を設けたこととしたものであり、屋外側から、締結固定具を螺合締め付けの際、回り止め部によって、締結用軸状部材の頭部が回転しないため、堅固に固定できるという作用を有する。
【００２６】
また、回り止め部を、締結用軸状部材の周囲に少なくとも１つ以上の面を有したストッパー面としたこととしたものであり、屋外側から、締結固定具を締め付ける際、ストッパー面によって、締結用軸状部材の頭部が回転しないため、堅固に固定できるという作用を有する。
【００２７】
また、２面を有した並行するストッパー面の内側に締結用軸状部材が動かないように突部を設けたこととしたものであり、突起によって締結用軸状部材が軸方向に動かないように固定できるので、屋外フードの穴を締結用軸状部材に入れる際、容易に挿入できるという作用を有する。
【００２８】
また、換気扇取付枠と締結用軸状部材とが溶接されていることとしたものであり、パネルに換気扇取付枠を位置固定するのが容易にできるという作用を有する。
【００２９】
また、換気扇取付枠を、換気扇側に長さ調整できるスライド機構を設けたこととしたものであり、窓の下に桟などの障害物があった場合でも、換気扇の設置位置がパネルから室内側へ飛び出させることができるため、桟に邪魔にならずに、換気扇の引き紐スイッチでの操作を容易にすることができるという作用を有する。
【００３０】
以下、本発明の実施の形態について、図面を参照しながら説明する。
【００３１】
（実施の形態１）
図１〜図３に示すように、屋外フード１と、屋外フード１を取り付けるパネル２と、パネル２に取り付けられ、両側にフランジ部３を有した換気扇取付枠４と、換気扇取付枠４に取り付ける換気扇５であって、室内側６から、換気扇取付枠４のパネル側フランジ部３ａに有した穴７および、パネル２に有した穴２ａとを貫通させるように、締結用軸状部材８を挿入し、その締結用軸状部材８を仮固定した後、室外側９からは、パネル２から突出した締結用軸状部材８に、屋外フード１の取付穴１０を通すように位置固定され、室外側９から、締結用軸状部材８に締結固定具１１を挿入し締結用軸状部材８と、締結固定具１１とを固定することで、パネル２と屋外フード１と換気扇取付枠４とが固定され、室内側６から換気扇取付枠４の換気扇側フランジ部３ｂに換気扇５を固定する構成とする。
【００３２】
上記構成により、機器の取り付け方法は次の方法で行うことができる。既設の窓１５に設置してあった窓ガラスを窓枠１３から外し、角穴２ｂおよび、屋外フード固定用の穴２ａを設けたアルミ製などの強度のあるパネル２を窓枠１３に固定したあと、室内側６から、換気扇取付枠４をパネル２の穴２ａと、換気扇取付枠４のパネル側フランジ部３ａに有した穴７とを合わせ、ボルトなどの締結用軸状部材８を穴７に挿入した後、テープ１４を締結用軸状部材８および、換気扇取付枠４のパネル側フランジ部３ａをパネル側に押さえるように上から貼ることにより、換気扇取付枠４をパネル２に仮固定され、また、締結用軸状部材８も仮固定される。その後、室外側９から、屋外フード１の取付穴１０を締結用軸状部材８に通し、さらに、ナットなどのような締結固定具１１を嵌めて螺合固定することで屋外フード１を作業者１人で固定できる。また、その後、室内側６で、換気扇取付枠４の換気扇側フランジ部３ｂに換気扇５を固定する。このような手順で機器を取り付けることができる。このように、作業者は、室内側６で換気扇取付枠４を仮固定を行ったあと、室外側９で屋外フード１および、換気扇取付枠４を締結固定具１１の締め付けることで本固定を行い、再び室内側６で、換気扇取付枠４に換気扇５を固定するという方法で、窓１５に屋外フード１と換気扇５を１人の作業者だけで設置工事ができる。メンテナンスの際には、室内側６から作業者１人で容易に換気扇５のみを着脱できる。換気扇取付枠４はパネル側フランジ部３ａと換気扇側フランジ部３ｂと枠３ｃとで構成されており、パネル側フランジ部３ａは枠３ｃに対し、外側に延びた形状となっているため、テープ１４でパネル２とパネル側フランジ部３ａとを貼るのを容易にし、仮固定しやすいものとしている。また、換気扇取付枠４は金属の薄板や、樹脂などで構成された軽量のものであるためテープで仮固定を容易にしている。
【００３３】
このように本発明の実施の形態１の換気扇取付枠によれば、換気扇および屋外フードをパネルに固定する際、室内側に１人、室外側に１人の作業者が同時に作業を要するというような、２人での設置作業をすることがなく、作業者１人で、屋外フード、換気扇を取り付けできるので、作業者１人で容易に設置作業ができるため、作業性の向上が図れる。
【００３４】
また、メンテナンスの際には、作業者１人で、室内側から換気扇のみを容易に着脱できるため、メンテナンス時の換気扇着脱の作業性の向上も図ることができることとなる。
【００３５】
（実施の形態２）
図４において、図１〜図３と同じ構成要素については同じ符号を用い、その説明を省略する。
【００３６】
図４に示すように、換気扇取付枠４のパネル側フランジ部３ａのパネル面側３ｄに両面テープ１６を有した構成とする。
【００３７】
上記構成により、パネル２に換気扇取付枠４を仮固定する際、室内側６から、換気扇取付枠４をパネル２の穴２ａと、換気扇取付枠４のパネル側フランジ部３ａに有した穴７とが合う状態にして、換気扇取付枠４のパネル側フランジ部３ａのパネル面側３ｄの両面テープ１６で、パネル２と換気扇取付枠４を仮固定する。そして、室内側６から、ボルトなどの締結用軸状部材８を穴７に挿入した後、テープ１４を締結用軸状部材８および換気扇取付枠４のパネル側フランジ部３ａをパネル側に押さえるように上から貼ることにより、締結用軸状部材８を仮固定することとなる。以後、室外側からの施工作業は実施の１と同じである。
【００３８】
このように本発明の実施の形態２の換気扇取付枠によれば、両面テープという市販性のある材料で換気扇取付枠とパネルとを仮固定できるので、安価なコストで強い接着性のある仮固定をすることができることとなる。
【００３９】
（実施の形態３）
図５において、図１〜図４と同じ構成要素については同じ符号を用い、その説明を省略する。
【００４０】
図５に示すように、締結用軸状部材８が回らないように、換気扇取付枠４のパネル側フランジ部３ａに有した穴７の周囲に回り止め部１７を設けたこと構成とする。
【００４１】
上記構成により、室内側６から、換気扇取付枠４をパネル２の穴２ａと、換気扇取付枠４のパネル側フランジ部３ａに有した穴７とを合わせ、ボルトなどの締結用軸状部材８を穴７に挿入した後、テープ１４を締結用軸状部材８および、換気扇取付枠４のパネル側フランジ部３ａをパネル側に押さえるように上から貼ることにより、換気扇取付枠４をパネル２に仮固定する。その後、室外側９から、屋外フード１の取付穴１０を締結用軸状部材８に通し、さらに、ナットなどのような締結固定具１１を嵌めて螺合固定する。この締結固定具１１を回転方向に締め付けるこのとき、締結用軸状部材８の頭部８ａは、回り止め部１７によって、回転方向に回るのを防止できるので、室外側から作業者１人で屋外フード１とパネル２と換気扇取付枠４とを堅固に固定することができ、取り付けの安定性を向上させることができる。
【００４２】
このように本発明の実施の形態３の換気扇取付枠によれば、１人で換気扇と屋外フードを取り付けることができ、また、屋外フード、パネル、換気扇取付枠とを堅固に固定することにより、取り付けの安定性を向上させることができることとなる。
【００４３】
（実施の形態４）
図６において、図１〜図５と同じ構成要素については同じ符号を用い、その説明を省略する。
【００４４】
図６に示すように、回り止め部１７を、締結用軸状部材８の周囲に少なくとも１つ以上の面を有したストッパー面１８とした構成とする（図は説明のため、換気扇取付枠４に締結用軸状部材８を挿入した状態を示す）。
【００４５】
上記構成により、室外側９から、屋外フード１の取付穴１０を締結用軸状部材８に通し、さらに、ナットなどのような締結固定具１１を嵌めて回転方向に螺合固定する際、締結用軸状部材８の頭部８ａは、ストッパー面１８に当接し、回転方向に回るのを防止できるので、室外側から作業者１人で屋外フード１とパネル２と換気扇取付枠４とを堅固に固定することができ、取り付けの安定性を向上させることができる。
【００４６】
このように本発明の実施の形態４の取付枠によれば、１人で換気扇と屋外フードを取り付けることができ、また、屋外フード、パネル、換気扇取付枠とを堅固に固定することにより、取り付けの安定性を向上させることができることとなる。
【００４７】
（実施の形態５）
図７において、図１〜図６と同じ構成要素については同じ符号を用い、その説明を省略する。
【００４８】
図７に示すように、２面を有した並行するストッパー面１８の内側に締結用軸状部材が動かないように突部１９を設けた構成とする。
【００４９】
上記構成により、２面を有した並行するストッパー面１８としての並行するストッパー面１８Ａおよびストッパー面１８Ｂの間隔Ｘは締結用軸状部材の頭部８ａの最小幅Ｓより大きく最大寸法Ｅより小さい寸法とする。またストッパー面１８Ａおよびストッパー面１８Ｂに有した突部１９の間隔Ｙは締結用軸状部材８の頭部８ａの最小幅Ｓよりもやや小さい寸法としている。また、突部１９間の位置Ｚは締結用軸状部材８の頭部８ａの高さＨよりもやや高い位置に設けている。室内側６から、換気扇取付枠４をパネル２の穴２ａと、換気扇取付枠４のパネル側フランジ部３ａに有した穴７とを合わせ、ボルトなどの締結用軸状部材８を穴７に挿入する際において、並行するストッパー面１８Ａ、ストッパー面１８Ｂは、締結用軸状部材８の頭部８ａの面８ｂが突部１９に当接するときに、やや外側に開きながら、締結用軸状部材８がストッパー面１８Ａとストッパー面１８Ｂとの間を入る。締結用軸状部材８が根元まで挿入され、頭部８ａの面８ｂと突部１９とが当接しない位置になると、ストッパー面１８Ａおよび、ストッパー面１８Ｂは復元力で元の位置に戻る。突部１９は締結用軸状部材８の頭部８ａの高さＨよりもやや高い位置に設けているため、一度穴７に挿入した締結用軸状部材８は突部１９によって容易に軸方向に動かないようにできる。以後、室外での作業手順は、屋外フード１の取付穴１０を締結用軸状部材８に通し、さらに、ナットなどのような締結固定具１１を嵌めて螺合固定する。この締結固定具１１を回転方向に締め付けるこのとき、締結用軸状部材８の頭部８ａは、ストッパー面１８Ａ、ストッパー面１８Ｂによって、回転方向に回るのを防止できるので、室外側から作業者１人で屋外フードとパネルと換気扇取付枠４とを堅固に固定することができ、取り付けの安定性を向上させることができる。
【００５０】
また、屋外フード１の取付穴１０を締結用軸状部材８に通す際に、締結用軸状部材８が軸方向に動かないため、通し易いため、作業が容易に行える。
【００５１】
このように本発明の実施の形態５の換気扇取付枠によれば、１人で換気扇と屋外フードを取り付けることができ、締結用軸状部材が回転方向にも、軸方向にも動かないため、屋外フード、パネル、換気扇取付枠とを堅固に固定でき、また作業が容易に行えることとなる。
【００５２】
（実施の形態６）
図８において、図１〜図７と同じ構成要素については同じ符号を用い、その説明を省略する。
【００５３】
図８に示すように、換気扇取付枠４と締結用軸状部材８とが溶接されている構成とする。
【００５４】
上記構成により、換気扇取付枠４と締結用軸状部材８とが溶接されているので、締結用軸状部材８が換気扇取付枠４と一体となっているため、締結用軸状部材８が回転方向にも、軸方向にも動かないため、屋外フード１、パネル２、換気扇取付枠４とを堅固に固定することができ、また作業が容易に行える。さらに、換気扇取付枠４をパネルに仮固定する際、締結用軸状部材８をパネル２の穴２ａに差し込むようにして入れるだけで、容易に位置が決まるので、室内側６から、換気扇取付枠４をパネル２の穴２ａと、換気扇取付枠４のパネル側フランジ部３ａに有した穴７とを合わせるという必要がないため、パネル２に換気扇取付枠４を位置固定するのが容易にできる。
【００５５】
このように本発明の実施の形態６の換気扇取付枠によれば、締結用軸状部材が換気扇取付枠と一体となっているため、パネルに換気扇取付枠を位置固定するのが容易できることとなる。
【００５６】
（実施の形態７）
図９において、図１〜図８と同じ構成要素については同じ符号を用い、その説明を省略する。
【００５７】
図９に示すように、換気扇取付枠を換気扇側に長さ調整できるスライド機構２０を設けた構成とする。
【００５８】
上記構成により、枠３ｃの長さを長くすることができるため、窓の下に桟２１などの障害物があった場合でも、換気扇５の設置位置がパネル２から室内側６へ飛び出させることができるため、桟２１に邪魔にならずに、換気扇の引き紐スイッチ２２での操作ができる。
【００５９】
このように本発明の実施の形態７の換気扇取付枠４によれば、枠の長さを長くすることができるため、窓の下に桟などの障害物があった場合でも、換気扇の設置位置がパネルから室内側へ飛び出させることができるため、桟に邪魔にならずに、換気扇の引き紐スイッチでの操作を容易にすることができることとなる。
【産業上の利用可能性】
【００６０】
本発明にかかる換気扇取付枠は、既設の窓枠に屋外フードと換気扇を取り付けるための装置として好適なものであり、重量のある換気扇でも、取り付け作業を１人で行えることにより、パネルのような薄い板に取り付ける換気扇取付装置等にも適用できる。
【符号の説明】
【００６１】
１    屋外フード
２    パネル
２ａ  穴
３    フランジ部
３ａ  パネル側フランジ部
３ｂ  換気扇側フランジ部
３ｄ  パネル面側
４    換気扇取付枠
５    換気扇
６    室内側
７    穴
８    締結用軸状部材
９    室外側
１０  取付穴
１１  締結固定具
１６  両面テープ
１７  回り止め部
１８  ストッパー面
１９  突部
２０  スライド機構
【図１】
0005418107.tif 000002
【図２】
0005418107.tif 000003
【図３】
0005418107.tif 000004
【図４】
0005418107.tif 000005
【図５】
0005418107.tif 000006
【図６】
0005418107.tif 000007
【図７】
0005418107.tif 000008
【図８】
0005418107.tif 000009
【図９】
0005418107.tif 000010
【図１０】
0005418107.tif 000011
【図１１】
0005418107.tif 000012